(57)【特許請求の範囲】
【請求項１】
回線を閉結及び開放する通信手段と、前記通信手段に回線を開放させるための第１の操作手段と、発呼を可能にするために、前記通信手段に回線を閉結させるための第２の操作手段と、画データを記録紙に記録する記録手段と、前記記録手段が動作不能の場合は、前記通信手段に回線を閉結させる制御手段とを備え、前記制御手段は、前記記録手段が動作不能の場合であって、前記第２の操作手段が操作された場合は、発呼を可能にするために、前記通信手段に回線を一旦開放させてから閉結させるとともに、前記第１の操作手段の操作を無効にすることを特徴とする通信端末装置。
【請求項２】
請求項１に記載の通信端末装置において、前記第１の操作手段の操作が無効である旨を報知する報知手段を備え、前記制御手段は、前記記録手段が動作不能の場合であって、前記第１の操作手段が操作された場合には、前記第１の操作手段の操作が無効である旨を前記報知手段に報知させる通信端末装置。
【請求項３】
請求項１又は請求項２に記載の通信端末装置において、前記記録手段が動作不能の場合に回線を閉結させるか否かを設定する設定手段を備え、前記制御手段は、前記記録手段が動作不能の場合は、前記設定手段の設定に基づいて、前記通信手段に回線を閉結させる通信端末装置。
【発明の詳細な説明】
【０００１】
【発明の属する技術分野】
本発明は、複写機能付きファクシミリ装置等の通信端末装置に関し、より詳しくは記録紙やトナーが無くなった場合、或いは感光体ドラムが交換時期に達した場合のように記録部が動作不能になったときの動作に特徴を有する通信端末装置に関するものである。
【０００２】
【従来の技術】
従来より、複写機能付きファクシミリ装置等の通信端末装置において、記録紙やトナーが無くなった場合、或いは感光体ドラムが交換時期に達した場合のように記録部が動作不能になったときには、その旨が表示部に表示される。そして、その表示に基づいて、操作者により記録紙やトナーが補充され、或いはサービスマンにより感光体ドラムが交換されると、記録部の動作が可能となる。
【０００３】
ところで、画像メモリを備えた複写機能付きファクシミリ装置、即ち、メモリ受信が可能な複写機能付きファクシミリ装置の場合において、記録部が動作不能の場合は、受信画データを画像メモリに記憶する、いわゆるメモリ代行受信が行われるが、画像メモリの記憶容量を越えてまでもはメモリ代行受信することができない。このため、記録部が動作不能であって、メモリ代行受信ができない状態に達した場合には、ファクシミリ受信が行われないように回線を閉結させていた。つまり、このような場合には、ファクシミリ受信が行われないようにするために回線を強制的に閉結させていた。
【０００４】
【発明が解決しようとする課題】
このように記録部が動作不能であっても、付属電話機又は子電話機がオンフック（ハンドセットを取り上げていない状態）で回線を閉結させて回線上の信号をモニタスピーカから鳴動させるためのモニターキーを操作した場合には、相手先に発呼できる。
【０００５】
しかしながら、モニターキーを操作した後、回線を開放するためのフックキーが操作された場合には、回線が開放されてしまう。そのため、このときファクシミリ通信による着信が検出されると、ファクシミリ受信による呼出音が鳴動され続けられることとなる。
【０００６】
本発明は、このような問題点に着目してなされたものであって、その目的は、回線を強制的に閉結させている場合には、フックキーが操作されても、回線が開放されるのを防止することが可能な通信端末装置を提供することにある。
【０００７】
【課題を解決するための手段】
上記の目的を達成するために、請求項１に記載の発明では、回線を閉結及び開放する通信手段と、通信手段に回線を開放させるための第１の操作手段（例えば、フックキー）と、発呼を可能にするために、通信手段に回線を閉結させるための第２の操作手段（例えば、モニターキー）と、画データを記録紙に記録する記録手段と、記録手段が動作不能の場合は、通信手段に回線を閉結させる制御手段とを備え、制御手段は、記録手段が動作不能の場合であって、第２の操作手段が操作された場合は、発呼を可能にするために、通信手段に回線を一旦開放させてから閉結させるとともに、第１の操作手段の操作を無効にすることを特徴とする。
【０００８】
請求項２に記載の発明では、請求項１に記載の通信端末装置において、第１の操作手段の操作が無効である旨を報知する報知手段を備え、制御手段は、記録手段が動作不能の場合であって、第１の操作手段が操作された場合には、第１の操作手段の操作が無効である旨を報知手段に報知させる。
【０００９】
請求項３に記載の発明では、請求項１又は請求項２に記載の通信端末装置において、記録手段が動作不能の場合に回線を閉結させるか否かを設定する設定手段を備え、制御手段は、記録手段が動作不能の場合は、設定手段の設定に基づいて、通信手段に回線を閉結させる。
【００１０】
【発明の実施の形態】
以下に、本発明に係る通信端末装置を複写機能付きファクシミリ装置に具体化した一実施形態を図面を用いて説明する。
【００１１】
図１に示すように、複写機能付きファクシミリ装置１は、ＭＰＵ１０、ＲＯＭ２０、ＲＡＭ３０、読取部４０、記録部５０、操作部６０、表示部７０、画像メモリ８０、コーデック９０、モデム１００及びＮＣＵ１１０から構成され、各部１０〜１１０がバス１２０を介してそれぞれ接続されている。
【００１２】
ＭＰＵ１０は、複写機能付きファクシミリ装置１を構成する各部を制御する。ＲＯＭ２０は、複写機能付きファクシミリ装置１を制御するための各種プログラムを記憶する。ＲＡＭ３０は、複写機能付きファクシミリ装置１に関する各種情報を記憶する。
【００１３】
読取部４０は、原稿上の画像を１ライン分ずつ読み取って、その読み取った画像の画データを白黒２値化し、その２値化した１ライン分の画データをコーデック９０に順次出力する。又、読取部４０は、原稿センサ４１を備えている。原稿センサ４１は、読取部４０に載置されたＦＡＸの送信原稿又はコピー原稿の有無を検出して、その検出信号をＭＰＵ１０に出力する。
【００１４】
記録部５０は、電子写真方式のプリンタよりなり、ＦＡＸ動作において受信画データを、コピー動作において読取部４０で読み取った画データを、記録紙上に記録する。又、記録部５０は、記録紙センサ５１、トナーセンサ５２及びドラムセンサ５３を備えている。記録紙センサ５１は、記録紙カセットに収容された記録紙の有無を検出して、その検出信号をＭＰＵ１０に出力する。トナーセンサ５２は、トナーケースに収容されたトナーの有無を検出して、その検出信号をＭＰＵ１０に出力する。ドラムセンサ５３は、感光体ドラムの回転を検出して、その検出信号をＭＰＵ１０に出力する。ＭＰＵ１０は、ドラムセンサ５３からの検出信号に基づいて、感光体ドラムの総回転時間を算出し、感光体ドラムが交換時期に達したか否かを判断する。
【００１５】
操作部６０は、ＦＡＸ／コピーキー６１、短縮／電話帳キー６２、ワンタッチキー６３、テンキー（＊，＃キーを含む）６４、スタートキー６５、フックキー６６、モニターキー６７、鳴動キー６８及び回線閉結キー６９等の各種操作キーを備えている。ＦＡＸ／コピーキー６１は、ＦＡＸモード又はコピーモードに設定するためのものである。短縮／電話帳キー６２は、予め登録した相手先の電話番号（ＦＡＸ番号を含む）を短縮番号で指定するためのものであるとともに、予め登録した相手先を電話帳で検索して相手先の電話番号を指定するためのものである。ワンタッチキー６３は、予め登録した相手先をワンタッチで指定するためのものである。テンキー６４は、相手先の電話番号又はコピー部数等を入力するためのものである。スタートキー６５は、ＦＡＸの送信原稿又はコピー原稿の読み取り動作を開始させるためのものである。フックキー６６は、電話回線Ｌを開放させるためのものである。モニターキー６７は、ハンドセットを取り上げていない状態で発呼を可能にするために電話回線Ｌを閉結して、交換機からのダイヤルトーンやハウラー音を鳴動させるためのものである。鳴動キー６８は、記録部５０が動作不能のため電話回線Ｌを閉結中である旨を示す回線閉結メロディを鳴動させるか否かを設定するためのものである。回線閉結キー６９は、記録部５０が動作不能の場合に電話回線Ｌを閉結させるか否かを設定するためのものである。
【００１６】
ＬＣＤ等よりなる表示部７０は、複写機能付きファクシミリ装置１の動作状態等の各種情報を表示する。又、表示部７０は、電話回線Ｌを閉結中であっても使用可能な機能を示す旨のメッセージを表示する。
【００１７】
画像メモリ８０は、受信画データや読取部４０で読み取られた画像の画データを一時的に記憶する。コーデック９０は、読取部４０から入力された画データを送信のためにＭＨ，ＭＲ，ＭＭＲ，ＪＢＩＧ方式等により帯域圧縮して符号化（エンコード）する。又、コーデック９０は、受信画データを復号（デコード）する。
【００１８】
モデム１００は、ＩＴＵ−Ｔ勧告Ｔ．３０に従ったファクシミリ伝送制御手順に基づいて、Ｖ．１７，Ｖ．２７ｔｅｒ，Ｖ．２９等に従った送受信データの変調及び復調を行う。又、モデム１００は、メロディ部１０１、モニタスピーカ１０２及び切替リレー１０３を備えている。メロディ部１０１は、記録部５０が動作不能のため電話回線Ｌを閉結中である旨を示す回線閉結メロディを記憶している。モニタスピーカ１０２は、メロディ部１０１からの回線閉結メロディ、交換機からの呼出信号に基づく呼出音、交換機からのダイヤルトーン又はハウラー音を鳴動する。ここで、ハウラー音とは、ハンドセットが外れている場合やダイヤルトーンが所定時間経過した後に鳴動されるものである。又、モニタスピーカ１０２は、記録部５０が動作不能のため電話回線Ｌを閉結している場合であって、モニターキー６７が操作されて、さらにフックキー６６が操作されたときには、そのフックキー６６の操作が無効である旨を示す無効ブザー音を鳴動する。切替リレー１０３は、ダイヤルトーンやハウラー音をモニタスピーカ１０２から鳴動させるために電話回線Ｌ側へ、又、回線閉結メロディをモニタスピーカ１０２から鳴動させるためにメロディ部１０１側へ択一的に接続するためのものである。
【００１９】
ＮＣＵ１１０は、電話回線Ｌを閉結及び開放するとともに、相手先の電話番号に対応したダイヤル信号の送出及び着信を検出するための機能を備えている。
次に、ＮＣＵ１１０の構成について説明する。
【００２０】
図２に示すように、モデム１００は、トランス１１１を介して電話回線Ｌ（Ｌ１，Ｌ２）と接続されている。ＣＭＬリレー１１２は、電話回線Ｌとモデム１００との間に配置され、リレー制御部１１３からの制御により、電話回線Ｌを閉結及び開放する。尚、電話回線Ｌは、閉結に伴いモデム１００を介した直流ループを形成し、開放に伴いその直流ループを開放する。ダイヤル信号発生回路１１４は、トランス１１１とＣＭＬリレー１１２との間に配置され、リレー制御部１１３からの制御により、ダイヤル信号を発生する。
【００２１】
呼出信号検出回路１１５は、電話回線Ｌに接続され、その電話回線Ｌ上の１６〔Ｈｚ〕の呼出信号を検出して、その検出信号をＭＰＵ１０に出力する。第１及び第２オフフック検出回路１１６，１１７は、それぞれ付属電話機１３１及び子電話機１３２のオフフック（ハンドセットを取り上げた状態）を検出して、その検出信号をＭＰＵ１０に出力する。
【００２２】
第１及び第２リレー１１８，１１９は、それぞれ付属電話機１３１及び子電話機１３２を電話回線Ｌに接続するために設けられている。リレー制御部１１３は、ＭＰＵ１０からの制御に基づいて、ＣＭＬリレー１１２、ダイヤル信号発生回路１１４、第１及び第２リレー１１８，１１９を制御する。
【００２３】
次に、記録部５０の動作不能時における複写機能付きファクシミリ装置１の動作について、図３〜図６に示すフローチャートを用いて説明する。尚、この動作は、ＲＯＭ２０に記憶されたプログラムに基づき、ＭＰＵ１０の制御により実行される。
【００２４】
ステップＳ１では、記録紙センサ５１からの検出信号に基づいて、記録紙の有無を判断する。記録紙が無い場合は、ステップＳ４に移行する。一方、記録紙がある場合は、ステップＳ２に移行する。
【００２５】
ステップＳ２では、トナーセンサ５２からの検出信号に基づいて、トナーの有無を判断する。トナーが無い場合は、ステップＳ４に移行する。一方、トナーがある場合は、ステップＳ３に移行する。
【００２６】
ステップＳ３では、ドラムセンサ５３からの検出信号に基づいて、感光体ドラムが交換時期に達したか否かを判断する。感光体ドラムが交換時期に達した場合は、ステップＳ４に移行する。一方、感光体ドラムが交換時期に達していない場合は、ステップＳ８に移行する。
【００２７】
記録紙やトナーが無くなった場合、或いは感光体ドラムが交換時期に達した場合のように記録部５０が動作不能になったとき、ステップＳ４では、画像メモリ８０がメモリオーバーか否かを判断する。メモリオーバーの場合は、ステップＳ７に移行する。一方、メモリオーバーでない場合は、ステップＳ５に移行する。
【００２８】
ステップＳ５では、呼出信号検出回路１１５からの検出信号に基づいて、着信が検出されたか否かを判断する。着信が検出された場合は、ステップＳ６に移行する。そして、相手先からファクシミリ装置であることを示すＣＮＧ信号が送信されてきて、ファクシミリ伝送制御手順に基づくファクシミリ通信が開始されると、ステップＳ６では、いわゆるメモリ代行受信を行う。そして、メモリ代行受信が終了すると、前記ステップＳ１に移行する。つまり、前記ステップＳ１，Ｓ２において記録紙やトナーが無くなった場合、或いは前記ステップＳ３において感光体ドラムが交換時期に達した場合のように記録部が動作不能になった場合であっても、画像メモリ８０がメモリオーバーになるまでは、メモリ代行受信を行う。一方、着信が検出されない場合は、ステップＳ１４に移行する。
【００２９】
前記ステップＳ４において画像メモリ８０がメモリオーバーの場合は、ステップＳ７で、回線閉結キー６９の操作に基づいて、電話回線Ｌを閉結させる設定であるか否かを判断する。電話回線Ｌを閉結させる設定の場合は、図５に示すステップＳ４１に移行する。一方、電話回線Ｌを閉結させない設定の場合は、ステップＳ８に移行する。
【００３０】
前記ステップＳ１，Ｓ２で記録紙及びトナーがあり、前記ステップＳ３で感光体ドラムが交換時期に達していない場合、或いは前記ステップＳ４で画像メモリ８０がメモリオーバーであって、前記ステップＳ７で回線閉結キー６９の操作に基づいて、電話回線Ｌを閉結させない設定である場合には、ステップＳ８で、呼出信号検出回路１１５からの検出信号に基づいて、着信が検出されたか否かを判断する。着信が検出された場合は、ステップＳ９に移行する。一方、着信が検出されない場合は、ステップＳ１４に移行する。
【００３１】
前記ステップＳ８で着信が検出された場合は、ステップＳ９で、記録部５０が動作可能か否かを判断する。つまり、前記ステップＳ１〜ステップＳ３がいずれも「ＮＯ」の場合、即ち、記録部５０が記録可能の場合であって、ステップＳ８で着信が検出されたときは、ステップＳ９に移行する。一方、前記ステップＳ１〜ステップＳ３の少なくともいずれか１つが「ＹＥＳ」の場合、即ち、記録部５０が記録不能の場合であって、ステップＳ４及びステップＳ７を介してステップＳ８で着信が検出されたときも、ステップＳ９に移行する。つまり、前記ステップＳ７で電話回線Ｌを閉結させない設定の場合には、前記ステップＳ８に移行し、着信が検出されるとステップＳ９に移行することになる。そこで、前記ステップＳ７での設定を考慮して、改めて、ステップＳ９で記録部５０が動作可能か否かを判断しているのである。
【００３２】
前記ステップＳ１〜ステップＳ３がいずれも「ＮＯ」の記録部５０が動作可能の場合であって、前記ステップＳ８で着信が検出されたときは、ステップＳ１０で、画データを受信して、その受信画データを記録部５０で記録紙上に記録し、前記ステップＳ１に移行する。つまり、記録部５０が動作可能の場合には、前記ステップＳ１〜ステップＳ３、ステップＳ８〜ステップＳ１０の処理を繰り返す。一方、前記ステップＳ１〜ステップＳ３の少なくともいずれか１つが「ＹＥＳ」の記録部５０が動作不能の場合であって、前記ステップＳ４で画像メモリ８０がメモリオーバーであり、且つ、前記ステップＳ７で回線閉結キー６９の操作に基づいて電話回線Ｌを閉結させない設定である場合であって、前記ステップＳ８で着信が検出されたときは、ステップＳ９からステップＳ１１に移行する。
【００３３】
ステップＳ１１では、呼出信号に基づく呼出音をモニタスピーカ１０２から鳴動する。従って、前記ステップＳ７で電話回線Ｌを閉結させない設定の場合には、ファクシミリ受信であっても、記録部５０が動作不能であるため、前記ステップＳ９で「ＮＯ」となり、呼出信号に基づく呼出音がモニタスピーカ１０２から鳴動される。
【００３４】
ステップＳ１２では、第１又は第２オフフック検出回路１１６，１１７からの検出信号に基づいて、操作者により付属電話機１３１又は子電話機１３２がオフフックされたか否かを判断する。つまり、前記ステップＳ１１で鳴動された呼出音に基づいて、オフフックされた場合は、ステップＳ１３に移行する。一方、オフフックされない場合は、前記ステップＳ１に戻って、モニタスピーカ１０２から呼出音を鳴動し続ける。
【００３５】
ステップＳ１３では、相手側が電話の場合は、その相手側との間で通話が行われる。その後、通話が終了して操作者が付属電話機１３１又は子電話機１３２をオンフックすると、この処理を終了する。
【００３６】
前記ステップＳ８において着信が検出されない場合は、ステップＳ１４で、操作者によりモニターキー６７が操作されたか否かを判断する。モニターキー６７が操作された場合は、発呼であると判断して、図４に示すステップＳ２１に移行する。一方、モニターキー６７が操作されない場合は、前記ステップＳ１に移行する。
【００３７】
図４に示すステップＳ２１では、前記ステップＳ１４におけるモニターキー６７の操作に基づいて、ＣＭＬリレー１１２に電話回線Ｌを閉結させる。
ステップＳ２２では、通話や送信が可能である旨のメッセージを表示部７０に表示させるとともに、モニタスピーカ１０２からダイヤルトーンを鳴動する。
【００３８】
ステップＳ２３では、原稿センサ４１からの検出信号に基づいて、送信原稿の有無を判断する。送信原稿がある場合は、ステップＳ２４に移行する。一方、送信原稿がない場合は、ステップＳ２８に移行する。
【００３９】
ステップＳ２４では、操作者によるＦＡＸ番号の入力が終了するまで待機する。そして、ＦＡＸ番号の入力が終了すると、そのＦＡＸ番号をＲＡＭ３０に記憶し、ステップＳ２５に移行する。
【００４０】
ステップＳ２５では、操作者によりスタートキー６５が操作されるまで待機する。そして、スタートキー６５が操作された場合は、ステップＳ２６に移行する。一方、スタートキー６５が操作されない場合は、前記ステップＳ２４に移行する。従って、操作者によりスタートキー６５が操作されるまでの間、ＦＡＸ番号を変更できる。
【００４１】
ステップＳ２６では、ＲＡＭ３０に記憶させた相手先のＦＡＸ番号を読み出して、そのＦＡＸ番号に対応したダイヤル信号をダイヤル信号発生回路１１４から電話回線Ｌに送出させる。
【００４２】
ステップＳ２７では、読取部４０に送信原稿上の画像を読み取らせながら、その画像の画データを送信する、いわゆるスキャナ送信を行い、この処理を終了する。つまり、前記ステップＳ４において画像メモリ８０がメモリオーバーの場合には、画像メモリ８０に読取画データを記憶させることはできない。そのため、読取画データをコーデック９０で圧縮符号化させた後、画像メモリ８０に記憶させずに、直接相手先に送信させているのである。尚、前記ステップＳ１〜ステップＳ３の少なくともいずれか１つが「ＹＥＳ」の場合、即ち、記録部５０が記録不能の場合であって、前記ステップＳ４で画像メモリ８０がメモリオーバーでなく、前記ステップＳ５で着信が検出されず、前記ステップＳ１４でモニターキー６７が操作されたときには、読取画データをコーデック９０で圧縮符号化させた後、画像メモリ８０に一旦記憶させてから読み出して送信する、いわゆるメモリ送信させてもよい。
【００４３】
前記ステップＳ２３において送信原稿がない場合には、ステップＳ２８で、操作者による電話番号の入力が終了するまで待機する。そして、電話番号の入力が終了すると、その電話番号をＲＡＭ３０に記憶し、ステップＳ２９に移行する。
【００４４】
ステップＳ２９では、ＲＡＭ３０に記憶させた相手先の電話番号を読み出して、その電話番号に対応したダイヤル信号をダイヤル信号発生回路１１４から電話回線Ｌに送出させる。
【００４５】
ステップＳ３０では、第１又は第２オフフック検出回路１１６，１１７からの検出信号に基づいて、操作者が付属電話機１３１又は子電話機１３２をオフフックするまで待機する。つまり、前記ステップＳ１４においては、操作者が付属電話機１３１及び子電話機１３２がオンフックした状態でモニターキー６７を操作して、発呼しているため、付属電話機１３１又は子電話機１３２をオフフックしない限り通話を行うことはできない。そこで、操作者がオフフックするまで待機しているのである。そして、操作者が付属電話機１３１又は子電話機１３２をオフフックすると、ステップＳ３１では、相手側との間で通話が行われる。その後、通話が終了して操作者が付属電話機１３１又は子電話機１３２をオンフックすると、この処理を終了する。尚、オンフックの状態で通話を行えるスピーカホーン機能を備えた複写機能付きファクシミリ装置１の場合には、ステップＳ３０の処理を省略できる。
【００４６】
図３に示すステップＳ７において回線閉結キー６９の操作に基づいて、電話回線Ｌを閉結させる設定の場合は、図５に示すステップＳ４１で、ＣＭＬリレー１１２に電話回線Ｌを閉結させる。つまり、記録部５０が動作不能であって、画像メモリ８０がメモリオーバーである場合は、ファクシミリ受信しても受信画データを記録紙に記録することはできない。そこで、このような場合には、ファクシミリ受信が行われないようにするために電話回線Ｌを閉結させているのである。
【００４７】
ステップＳ４２では、記録部５０が動作不能であって、画像メモリ８０がメモリオーバーであり、回線閉結キー６９の操作に基づいて、電話回線Ｌを閉結させる設定であるために電話回線Ｌを閉結していても、使用可能な機能を示す旨のメッセージを表示部７０に表示させる。例えば、「記録不能であって、メモリオーバーであるため、ＦＡＸ受信はできませんが、ＦＡＸ送信や電話はできます。」を表示させる。
【００４８】
ステップＳ４３では、鳴動キー６８の操作に基づいて、モニタスピーカ１０２に回線閉結メロディを鳴動させる設定であるか否かを判断する。回線閉結メロディを鳴動させる設定の場合は、ステップＳ４４で、メロディ部１０１から回線閉結メロディを読み出して、モニタスピーカ１０２から回線閉結メロディを鳴動する。一方、回線閉結メロディを鳴動させない設定の場合は、ステップＳ４５に移行する。
【００４９】
ステップＳ４５では、発呼するために操作者によりモニターキー６７が操作されたか否かを判断する。モニターキー６７が操作された場合は、ステップＳ４６で、モニタスピーカ１０２からダイヤルトーンを鳴動する。一方、モニターキー６７が操作されない場合は、図３に示すステップＳ１に移行する。
【００５０】
ステップＳ４７では、フックキー６６が操作されたか否かを判断する。フックキー６６が操作された場合は、ステップＳ４８で、モニタスピーカ１０２から無効ブザー音を鳴動する。つまり、記録部５０が動作不能であって、画像メモリ８０がメモリオーバーであり、回線閉結キー６９の操作に基づいて、電話回線Ｌを閉結させる設定である場合には、前記ステップＳ４１で電話回線Ｌを閉結させているが、この状態でモニターキー６７を操作した後、フックキー６６が操作されると、ＣＭＬリレー１１２が電話回線Ｌを開放する。そのため、フックキー６６が操作されても、電話回線Ｌが開放されないように、フックキー６６の操作を無効にするとともに、モニタスピーカ１０２から無効ブザー音を鳴動させているのである。
【００５１】
図６に示すステップＳ５１〜ステップＳ５３では、図４に示す前記ステップＳ２３〜ステップＳ２５と同様の処理を行う。
ステップＳ５４では、ＣＭＬリレー１１２に電話回線Ｌを一旦開放させる。
【００５２】
ステップＳ５５では、ＣＭＬリレー１１２に電話回線Ｌを開放させた状態で、１秒間待機する。即ち、電話回線Ｌの閉結時間が長時間に亘ると、交換機は、複写機能付きファクシミリ装置１が電話回線Ｌを使用中であると認識して、以後ダイヤル信号発生回路１１４からのダイヤル信号を受け付けなくなる。そこで、ＣＭＬリレー１１２に電話回線Ｌを１秒間開放させているのである。
【００５３】
ステップＳ５６では、ＣＭＬリレー１１２に電話回線Ｌを再度閉結させる。
ステップＳ５７及びステップＳ５８では、図４に示す前記ステップＳ２６及びステップＳ２７と同様の処理を行う。
【００５４】
前記ステップＳ５１において送信原稿がない場合には、ステップＳ５９で、図４に示す前記ステップＳ２８と同様の処理を行う。
ステップＳ６０〜ステップＳ６２では、前記ステップＳ５４〜ステップＳ５６と同様の処理を行う。
【００５５】
ステップＳ６３〜ステップＳ６５では、図４に示す前記ステップＳ２９〜ステップＳ３１と同様の処理を行う。
以上、詳述したように本実施形態によれば、次のような作用、効果を得ることができる。
【００５６】
（１）記録部５０が動作不能であって、画像メモリ８０がメモリオーバーであり、回線閉結キー６９の操作に基づいて、電話回線Ｌを閉結させる設定である場合には、電話回線Ｌを閉結して、ファクシミリ受信をできないようにしている。そして、この状態ではフックキー６６の操作を無効にしている。そのため、フックキー６６が操作されても、電話回線Ｌが開放されることはない。従って、電話回線Ｌを強制的に閉結させている場合には、フックキー６６が操作されても、電話回線Ｌが開放されるのを防止することができる。
【００５７】
（２）加えて、電話回線Ｌを強制的に閉結させている場合であって、フックキー６６を操作したときには、モニタスピーカ１０２から無効ブザー音を鳴動している。そのため、操作者にフックキー６６の操作が無効である旨を確実に報知することができる。
【００５８】
なお、前記実施形態は、次のように変更して具体化することも可能である。
・前記実施形態では、フックキー６６の操作が無効である旨を示す無効ブザー音をモニタスピーカ１０２から鳴動する構成としたが、フックキー６６の操作が無効である旨を示すメッセージを表示部７０に表示する構成としてもよい。
【００５９】
・加えて、フックキー６６の操作が無効である旨を示す無効ブザー音をモニタスピーカ１０２から鳴動するとともに、フックキー６６の操作が無効である旨を示すメッセージを表示部７０に表示する構成としてもよい。
【００６０】
・前記実施形態では、記録部５０が動作不能であって、画像メモリ８０がメモリオーバーであり、回線閉結キー６９の操作に基づいて、電話回線Ｌを閉結させる設定であるため、電話回線Ｌを閉結中である旨のメッセージとして、「記録不能であって、メモリオーバーであるため、ＦＡＸ受信はできませんが、ＦＡＸ送信や電話はできます。」を表示部７０に表示する構成としたが（図５に示すステップＳ４２）、「フックキー６６は使用できません。」を追加して表示部７０に表示する構成としてもよい。このように構成すれば、操作者は、その表示に基づきフックキー６６が使用できないことを知ることができる。
【００６１】
・前記実施形態では、モニターキー６７を操作した後、フックキー６６を操作しても、電話回線Ｌが開放されない構成としたが、モニターキー６７を操作した後、付属電話機１３１又は子電話機１３２をオフフックして、その後、付属電話機１３１又は子電話機１３２をオンフックしても、電話回線Ｌが開放されない構成としてもよい。
【００６２】
・加えて、付属電話機１３１又は子電話機１３２をオフフックして通話を行った後、フックキー６６を操作しても、電話回線Ｌが開放されない構成としてもよい。
【００６３】
・付属電話機１３１又は子電話機１３２のハンドセットが外れている状態や、電話回線Ｌを強制的に閉結させている状態が長時間に亘ると、交換機から複写機能付きファクシミリ装置１にハウラー音が送出されてくる。ここで、付属電話機１３１又は子電話機１３２のオフフックを第１又は第２オフフック検出回路１１６，１１７で検出している。一方、記録部５０が動作不能であって、画像メモリ８０がメモリオーバーであり、回線閉結キー６９の操作に基づいて、電話回線Ｌを閉結させる設定である場合には、電話回線Ｌを強制的に閉結させている。ところで、交換機は、電話回線Ｌの閉結時間が長い場合にはハウラー音を送出する。しかし、複写機能付きファクシミリ装置１は、長時間電話回線Ｌを強制的に閉結させた結果、交換機からハウラー音が送出されてきても、第１及び第２オフフック検出回路１１６，１１７からの検出信号に基づいて、そのハウラー音をキャンセルすることが可能である。換言すれば、複写機能付きファクシミリ装置１は、長時間付属電話機１３１又は子電話機１３２のハンドセットが外れている結果、交換機からハウラー音が送出されてきた場合にのみ、そのハウラー音をモニタスピーカ１０２から鳴動することが可能である。従って、ハンドセットが外れている場合にのみハウラー音を鳴動させることができるため、電話回線Ｌを強制的に閉結してもハウラー音が鳴動されることはない。その結果、無用にハウラー音が鳴動されることを防止することができる。
【００６４】
・図７に示すステップＳ７１及びステップＳ７２の処理を図３に示すステップＳ９とステップＳ１１との間に追加してもよい。即ち、ステップＳ９で「ＮＯ」の場合は、ステップＳ７１で、送信側から送出されてくるＣＮＧ信号をモデム１００で受信したか否かを判断する。ＣＮＧ信号をモデム１００で受信していない場合は、電話による着信であると判断して、ステップＳ１１で、呼出信号に基づく呼出音をモニタスピーカ１０２から鳴動する。一方、ＣＮＧ信号をモデム１００で受信した場合は、ファクシミリ通信による着信であると判断して、ステップＳ７２で、ＣＭＬリレー１１２に電話回線Ｌを開放させ、図３に示すステップＳ１に移行する。つまり、図３に示すステップＳ１〜ステップＳ３の少なくともいずれか１つが「ＹＥＳ」の記録部５０が動作不能の場合であって、ステップＳ４で画像メモリ８０がメモリオーバーであり、ステップＳ７で回線閉結キー６９の操作に基づいて、電話回線Ｌを閉結させない設定である場合において、ファクシミリ通信による着信が検出されると、呼出音が鳴動され続けられる。このような場合には、ファクシミリ通信による着信があっても、ファクシミリ通信の着信に伴う呼出音をモニタスピーカ１０２から鳴動させないようにする必要がある。そこで、ＣＮＧ信号に基づいて、ファクシミリ受信か否かを判断しているのである。このように構成すれば、電話による着信が検出された場合にのみモニタスピーカ１０２から呼出音が鳴動されるため、ファクシミリ通信の着信に基づく呼出音が鳴動されることはない。従って、無用に呼出音が鳴動されることを防止することができる。
【００６５】
・図３に示す処理の一部を図８（ａ）、（ｂ）に示す処理に変更してもよい。即ち、図３に示すステップＳ３で「ＮＯ」の場合は、図８（ａ）に示すステップＳ８１で、モデム１００からの検出信号に基づいて、ファクシミリ通信の着信が検出されたか否かを判断する。ファクシミリ通信の着信が検出された場合は、図３に示すステップＳ１０に移行する。一方、ファクシミリ通信の着信が検出されない場合は、ステップＳ１４に移行する。つまり、記録部５０が動作可能の場合には、前記ステップＳ１〜ステップＳ３、ステップＳ８１、ステップＳ１０の処理を繰り返す。図３に示すステップＳ７で「ＮＯ」の場合は、図８（ｂ）に示すステップＳ８２で、呼出信号検出回路１１５からの検出信号に基づいて、電話の着信が検出されたか否かを判断する。電話の着信が検出された場合は、ステップＳ１１に移行する。一方、電話の着信が検出されない場合は、ステップＳ１４に移行する。つまり、図８（ａ）に示すステップＳ８１でファクシミリ通信の着信が、図８（ｂ）に示すステップＳ８２で電話の着信が、それぞれ検出されたか否かを判断しているため、前記実施形態とは異なり、図３に示すステップＳ７での設定を考慮して、改めて、ステップＳ９で記録部５０が動作可能か否かを判断する必要はない。従って、図３に示すステップＳ９の処理を省略することができる。
【００６６】
・感光体ドラムの回転を検出するドラムセンサ５３に代えて、感光体ドラムを回転駆動させるためのモータの駆動時間に基づいて、感光体ドラムの交換時期であるか否かを判断する構成にしても良い。
【００６７】
・前記実施形態では、図３に示すステップＳ１，Ｓ２において記録紙やトナーが無くなった場合、或いはステップＳ３において感光体ドラムが交換時期に達した場合のように記録部が動作不能になった場合には、ステップＳ４で画像メモリ８０がメモリオーバーになるまでは、ステップＳ６でメモリ代行受信を行う構成としたが、次のように構成してもよい。つまり、ステップＳ４〜ステップＳ６を省略して、画像メモリ８０がメモリオーバーであるか否かに関係なく、記録部が動作不能になった場合には、ステップＳ７に移行する構成としてもよい。
【００６８】
このように構成すれば、画像メモリ８０が、メモリ代行受信に伴う受信画データの記憶に用いられることはなく、メモリ送信に伴う読取画データの記憶に用いられることになる。そのため、メモリ送信させようとしても、メモリ代行受信に伴う受信画データの記憶により画像メモリ８０がメモリオーバーとなって、メモリ送信できなくなるというおそれはない。又、複写機能付きファクシミリ装置１の記録部が動作不能になってＦＡＸ受信できなくなった場合でも、交換機が他のファクシミリ装置に切り換えることにより、その他のファクシミリ装置で受信画データを記録することができる。
【００６９】
・前記実施形態では、画像メモリ８０を備えた複写機能付きファクシミリ装置１に具体化したが、画像メモリ８０を備えていない複写機能付きファクシミリ装置１に具体化してもよい。
【００７０】
・前記実施形態では、通信端末装置を複写機能付きファクシミリ装置１に具体化したが、複写機能を持たない電話機能付きファクシミリ装置や単なるファクシミリ装置等の通信端末装置に具体化してもよい。
【００７１】
さらに、前記実施形態等より把握される請求項以外の技術的思想について、以下にそれらの効果と共に記載する。
〔１〕回線を閉結及び開放する通信手段と、通信手段に回線を開放させるための操作手段と、画データを記憶する記憶手段と、画データを記録紙に記録する記録手段と、その記録手段が動作不能の場合であって、記憶手段が容量オーバーの場合は、通信手段に回線を閉結させるとともに、操作手段の操作を無効にする制御手段とを備えた通信端末装置。このように構成すれば、記録手段が動作不能であって、記憶手段が容量オーバーであっても、回線を強制的に閉結させている場合には、操作手段が操作されても、回線が開放されるのを防止することができる。
【００７２】
〔２〕請求項３に記載の通信端末装置において、ファクシミリ通信の着信を検出する検出手段を備え、制御手段は、記録手段が動作不能の場合であって、設定手段が回線を閉結させない設定の場合は、検出手段からの検出信号に基づいて、通信手段に回線を開放させる通信端末装置。このように構成すれば、ファクシミリ通信の着信に基づく呼出音が報知手段から鳴動されることを防止することができる。
【００７３】
【発明の効果】
請求項１〜請求項３のいずれか１項に記載の発明によれば、回線を強制的に閉結させている場合には、第１の操作手段が操作されても、回線が開放されるのを防止することができる。また、第２の操作手段が操作された場合には、発呼できる。
【図面の簡単な説明】
【図１】複写機能付きファクシミリ装置の構成を示すブロック図。
【図２】ＮＣＵの構成を示す概略電気回路図。
【図３】記録部の動作不能時における複写機能付きファクシミリ装置の動作を示すフローチャート。
【図４】記録部の動作不能時における複写機能付きファクシミリ装置の動作を示すフローチャート。
【図５】記録部の動作不能時における複写機能付きファクシミリ装置の動作を示すフローチャート。
【図６】記録部の動作不能時における複写機能付きファクシミリ装置の動作を示すフローチャート。
【図７】別の実施形態を示すフローチャート。
【図８】別の実施形態を示すフローチャート。
【符号の説明】
１…通信端末装置としての複写機能付きファクシミリ装置、１０…制御手段を構成するＭＰＵ、２０…制御手段を構成するＲＯＭ、３０…制御手段を構成するＲＡＭ、５０…記録手段としての記録部、６６…第１の操作手段としてのフックキー、６９…設定手段としての回線閉結キー、７０…報知手段としての表示部、８０…記憶手段としての画像メモリ、１００…検出手段としてのモデム、１０２…報知手段としてのモニタスピーカ、１１０…通信手段としてのＮＣＵ、Ｌ…回線としての電話回線。
【図１】
0003982160.tif 000002
【図２】
0003982160.tif 000003
【図３】
0003982160.tif 000004
【図４】
0003982160.tif 000005
【図５】
0003982160.tif 000006
【図６】
0003982160.tif 000007
【図７】
0003982160.tif 000008
【図８】
0003982160.tif 000009